(57)【要約】      （修正有）【課題】軽くペダルを踏むことで蓋を折り畳んで開くことができ、かつ、蓋が開いた状態でペダルから足を離すと、折り畳んだ蓋をスムーズに閉作動できるごみ収納容器を提供する。【解決手段】折畳み副蓋３は、前縁部２１ａから左右両側方へピン部２４，２４が突設された第１蓋体２１と、後縁部２２ｂが蓋枠４の後辺部４ｂに枢着された第２蓋体２２とを、有し、昇降部材６の上昇力Ｆ１によって、第１蓋体２１・第２蓋体２２を側面視倒立Ｖ字状に折り畳んで開蓋状態Ｐ1とし、開蓋状態Ｐ１で上昇力Ｆ１が解除された際に、弾発部材２３の弾発付勢力によって、第１蓋体２１・第２蓋体２２が閉蓋状態へ閉作動するように構成されている。【選択図】図２
2017071472.tif 000002
【特許請求の範囲】
【請求項１】
足踏みペダル（７）及び該ペダル（７）に連動連結された昇降部材（６）を備えた容器本体（１）と、上記容器本体（１）に嵌着される蓋枠（４）を有すると共に側面視倒立Ｖ字状の開蓋状態（Ｐ１）と一文字状の閉蓋状態（Ｐ０）に折畳開閉可能として上記蓋枠（４）に枢着された折畳み副蓋（３）を有する蓋（２）とを、備え、
上記折畳み副蓋（３）は、前縁部（２１ａ）から左右両側方へピン部（２４）（２４）が突設された第１蓋体（２１）と、後縁部（２２ｂ）が上記蓋枠（４）の後辺部（４ｂ）に枢着された第２蓋体（２２）とを、有し、該第１蓋体（２１）の後縁部（２１ｂ）と上記第２蓋体（２２）の前縁部（２２ａ）が枢結部（２０）を介して折畳み自在に連結され、該枢結部（２０）には、上記第１蓋体（２１）・第２蓋体（２２）を上記一文字状に展開する方向に常時弾発付勢する弾発部材（２３）が取着され、上記第２蓋体（２２）の後縁部（２２ｂ）に上記昇降部材（６）による上昇力（Ｆ１）を受ける受け部（８）を有し、
上記蓋枠（４）は、左右側辺部（４ｃ）（４ｃ）の内面（２６）（２６）にガイド溝（５）（５）が凹設され、上記ピン部（２４）が上記ガイド溝（５）に沿って誘導案内されるように嵌込まれ、
上記折畳み副蓋（３）は、上記昇降部材（６）の上記上昇力（Ｆ１）によって、上記第１蓋体（２１）・第２蓋体（２２）を側面視倒立Ｖ字状に折り畳んで上記開蓋状態（Ｐ１）とし、該開蓋状態（Ｐ１）で上記上昇力（Ｆ１）が解除された際に、上記弾発部材（２３）の弾発付勢力（Ｆ０）によって、上記第１蓋体（２１）・第２蓋体（２２）が上記閉蓋状態（Ｐ０）へ閉作動するように構成されたことを特徴とするごみ収納容器。
【請求項２】
上記ガイド溝（５）の後端部近傍には、後方へ向けて上傾勾配部（５ｂ）が配設され、
上記開蓋状態（Ｐ１）の上記折畳み副蓋（３）が上記閉作動するのを阻止する後方向への外力（Ｎ）が上記第１蓋体（２１）に付与されると、上記ピン部（２４）が落ち込む係止凹部（２８）が、上記上傾勾配部（５ｂ）の後端に連設されている請求項１記載のごみ収納容器。
【発明の詳細な説明】
【技術分野】
【０００１】
本発明は、ごみ収納容器に関する。
【背景技術】
【０００２】
従来、容器本体の開口部を開閉するように取着された揺動自在の蓋を、ペダルを足で踏むことで操作するごみ収納容器が知られている（特許文献１参照）。
【先行技術文献】
【特許文献】
【０００３】
【特許文献１】特開２００７−３１４２１２号公報
【発明の概要】
【発明が解決しようとする課題】
【０００４】
しかし、特許文献１記載のごみ収納容器は、蓋が一枚の板状である為、蓋を開いた時の高さ寸法が大きくなり、例えば、台所の棚下などの小さなスペースでは、容器本体の上方に蓋の長さ分だけの高さが確保できず、蓋を起立させて開くことができなかった。また、蓋を開く時に大きな力でペダルを踏み込まなければならないという欠点があった。
【０００５】
また、他の問題点として、蓋が開いた状態でペダルから足を離した際、蓋が自重によって閉じるように、蓋の開閉角度が水平面に対し９０°未満に制限され、容器本体の開口部を十分に開放できず、一枚板の蓋が邪魔になって使い勝手が悪かった。蓋が水平面に対し９０°を超える開閉角度で揺動した場合には、ペダルから足を離しても蓋が自重によって閉作動しないという欠点があった。
【０００６】
そこで、本発明は、軽くペダルを踏むことで蓋を折り畳んで開くことができ、かつ、蓋が開いた状態でペダルから足を離すと、折り畳んだ蓋をスムーズに閉作動できるごみ収納容器を提供することを目的とする。
【課題を解決するための手段】
【０００７】
本発明に係るごみ収納容器は、足踏みペダル及び該ペダルに連動連結された昇降部材を備えた容器本体と、上記容器本体に嵌着される蓋枠を有すると共に側面視倒立Ｖ字状の開蓋状態と一文字状の閉蓋状態に折畳開閉可能として上記蓋枠に枢着された折畳み副蓋を有する蓋とを、備え、上記折畳み副蓋は、前縁部から左右両側方へピン部が突設された第１蓋体と、後縁部が上記蓋枠の後辺部に枢着された第２蓋体とを、有し、該第１蓋体の後縁部と上記第２蓋体の前縁部が枢結部を介して折畳み自在に連結され、該枢結部には、上記第１蓋体・第２蓋体を上記一文字状に展開する方向に常時弾発付勢する弾発部材が取着され、上記第２蓋体の後縁部に上記昇降部材による上昇力を受ける受け部を有し、上記蓋枠は、左右側辺部の内面にガイド溝が凹設され、上記ピン部が上記ガイド溝に沿って誘導案内されるように嵌込まれ、上記折畳み副蓋は、上記昇降部材の上記上昇力によって、上記第１蓋体・第２蓋体を側面視倒立Ｖ字状に折り畳んで上記開蓋状態とし、該開蓋状態で上記上昇力が解除された際に、上記弾発部材の弾発付勢力によって、上記第１蓋体・第２蓋体が上記閉蓋状態へ閉作動するように構成されたものである。
【０００８】
また、上記ガイド溝の後端部近傍には、後方へ向けて上傾勾配部が配設され、上記開蓋状態の上記折畳み副蓋が上記閉作動するのを阻止する後方向への外力が上記第１蓋体に付与されると、上記ピン部が落ち込む係止凹部が、上記上傾勾配部の後端に連設されている  ものである。
【発明の効果】
【０００９】
本発明のごみ収納容器によれば、高さの限られた（上下寸法の小さい）スペースでも折畳み副蓋を側面視倒立Ｖ字状に折り畳んで開くことができ、かつ、折畳み副蓋を小さな力で開けることができる。折畳み副蓋を折り畳んだ状態でペダルから足を離すと、弾発部材の弾発付勢力によって、折畳み副蓋をスムーズに閉作動できる。従って、手がふさがっている時や手が濡れている時でも、足でペダルを操作して折畳み副蓋を容易に開閉できる。
【図面の簡単な説明】
【００１０】
【図１】本発明に係るごみ収納容器の閉蓋状態を示した断面側面図である。
【図２】本発明に係るごみ収納容器の開蓋状態を示した断面側面図である。
【図３】折畳み副蓋の開閉を説明する断面側面図である。
【図４】折畳み副蓋の開閉を説明する断面側面図である。
【図５】折畳み副蓋の開閉を説明する側面図であり、（Ａ）は断面側面図であり、（Ｂ）は要部拡大断面側面図である。
【図６】折畳み副蓋の開閉を説明する側面図であり、（Ａ）は断面側面図であり、（Ｂ）は要部拡大側面図である。
【図７】折畳み副蓋の開閉を説明する側面図であり、（Ａ）は断面側面図であり、（Ｂ）は要部拡大側面図である。
【図８】折畳み副蓋の開閉を説明する側面図であり、（Ａ）は断面側面図であり、（Ｂ）は要部拡大側面図である。
【図９】要部拡大断面側面図であり、（Ａ）は閉蓋状態の要部拡大断面側面図であり、（Ｂ）は開蓋状態の要部拡大断面側面図である。
【図１０】蓋の取外しを説明する断面側面図である。
【図１１】容器本体にごみ袋を取付ける時の説明図である。
【発明を実施するための形態】
【００１１】
以下、実施の形態を示す図面に基づき本発明を詳説する。
図１と図２に示すように、本発明のごみ収納容器は、上方開口状の容器本体１と、容器本体１に着脱自在に取付けられる蓋２とを、備えている。蓋２は、容器本体１の開口部１０に外嵌される矩形閉環状の蓋枠４と、蓋枠４の後辺部４ｂに枢着された折畳み副蓋３とを有している。
【００１２】
容器本体１は、揺動自在の足踏みペダル７を下部に有し、ペダル７の足踏み（揺動）操作によって上端部６ａが上方へ突出引込自在の昇降部材６を備えている。ペダル７は、前端部７ａに足踏み部１４が形成され、後端部７ｂに設けた孔部１３に昇降部材６の下端部６ｂが連動連結されている。昇降部材６は、長方形状に折曲げられた金属杆（線）から成り、容器本体１の後壁面１５に凹設された上下方向溝部１５ａに上下方向スライド自在に収納されている。容器本体１は、下部の後縁寄りにキャスター１６を有し、底部の下面１ｂにエラストマーから成る滑り止め部材１７が付設されている。キャスター１６の外周面にエラストマーを被覆形成するも好ましい。なお、容器本体１は、ペダル７の前端部７ａが前方へ突出しないように配設され、かつ、キャスター１６が後壁面１５から突出しないように配設されている。よって、輸送時には、複数個の容器本体１を重ね合わせて（スタッキング）運ぶことができ、輸送コストを低減できる利点がある。
【００１３】
折畳み副蓋３は、図２に示す側面視倒立Ｖ字状の開蓋状態Ｐ１と、図１に示す側面視一文字状の閉蓋状態Ｐ０に、折畳開閉可能として構成されている。
折畳み副蓋３は、前縁側の第１蓋体２１と、後縁部２２ｂが蓋枠４の後辺部４ｂに揺動自在に枢着された第２蓋体２２とを、有し、第１蓋体２１の後縁部２１ｂと第２蓋体２２の前縁部２２ａが枢結部２０を介して折畳み自在に連結されている。枢結部２０には、第１蓋体２１と第２蓋体２２を側面視一文字状に展開する方向（閉蓋方向）に常時弾発付勢する弾発部材２３が取着されている。弾発部材２３は、第１蓋体２１と第２蓋体２２を拡開する（押し広げる）ように配設された捩じりバネから成る（図５（Ｂ）参照）。
第１蓋体２１は、前縁部２１ａから左右両側方へピン部２４，２４が突設されている。第２蓋体２２は、後縁部２２ｂから左右両側方へ突出する軸部２５，２５が設けられ、かつ、蓋枠４の後辺部４ｂに軸受凹部が形成され、軸部２５，２５が軸受凹部に嵌着されている。言い換えると、蓋枠４の後辺部４ｂに、折畳み副蓋３との枢着部９が配設されている。なお、折畳み副蓋３は、第１蓋体２１の長さ寸法Ｌ１が第２蓋体２２の長さ寸法Ｌ２より大きくなるように形成され、折畳み副蓋３を折り畳んだ時の高さ寸法Ｈ（図２参照）は、（第１蓋体２１の長さ寸法Ｌ１と第２蓋体２２の長さ寸法Ｌ２を合わせた）折畳み副蓋３の全長の１／２倍より小さくなるよう設定されている。
【００１４】
蓋枠４は、左右側辺部４ｃ，４ｃの内面２６，２６に、ガイド溝５，５が凹設され、第１蓋体２１のピン部２４がガイド溝５に移動自在に挿入されて、ピン部２４，２４がガイド溝５に沿って誘導案内されるように嵌込まれている。
ガイド溝５は、側面視浅皿形状に形成され、（前方から）後方へ向うにつれて次第に下傾する下傾勾配部５ａを前端部近傍に有し、下傾勾配部５ａから後方へ延伸してストレート状の中間部２７が設けられ、中間部２７から後方へ向けて上傾する上傾勾配部５ｂが、後端部近傍に配設されている。さらに、上傾勾配部５ｂの後端に、係止凹部２８が連設されている。図６（Ｂ）に示すように、係止凹部２８の後端２８ｂは、鉛直面状に形成されている。係止凹部２８の前端２８ａには、鉛直状の起立面が形成されている。折畳み副蓋３の開く際の始動時に、ピン部２４が、ガイド溝５の前端部近傍の下傾勾配部５ａを滑り降りることで、折畳み副蓋３の始動負荷を軽減するように構成されている。
【００１５】
蓋枠４は、前辺部４ａから下方へ垂下する外周壁部の下端縁に内方突出状の小突起４１が形成され、かつ、後辺部４ｂに、爪部４２ａを有する係止舌片４２が垂設されている。図１，図２に於て、容器本体１の周縁前部に、小突起４１が係止し、かつ、周縁後部に係止舌片４２の爪部４２ａが係止して、蓋枠４（蓋２）が上方へ浮き上がらないように、容器本体１に嵌着されている。蓋枠４は、後辺部４ｂの外周壁部と係止舌片４２によって、容器本体１の周縁後部を挟み込むようにして嵌着されており、第２蓋体２２の後縁部２２ｂに昇降部材６による下方からの上昇力Ｆ１が付与された場合であっても、蓋２が容器本体１に確実に保持されるように構成されている。
蓋枠４は、左右側辺部４ｃの内面２６に、閉蓋状態Ｐ０の折畳み副蓋３を下方から支持する支持片１９が設けられている。なお、折畳み副蓋３を折畳んで開く際に、支持片１９が邪魔にならないように、折畳み副蓋３の側縁に逃げ凹部を形成するのが好ましい（図示省略）。
【００１６】
折畳み副蓋３は、第２蓋体２２の後縁部２２ｂに、昇降部材６による（下方からの）上昇力Ｆ１を受ける受け部８を有している。
受け部８は、閉蓋状態Ｐ０で、下方開放状の凹部から成り、枢着部９の少しだけ前縁寄りに配設されている。受け部８は、第２蓋体２２に下向きに突設された台部３０に形成され、図２に示すように、ペダル７を踏むことで昇降部材６が押し上げられると、昇降部材６の上端部６ａが上昇力Ｆ１をもって受け部８を突き上げて、第２蓋体２２を上方へ起立揺動させるように構成されている。
【００１７】
上述した本発明のごみ収納容器の使用方法（作用）について説明する。
図３に示すように、閉蓋状態Ｐ０の折畳み副蓋３は、第１蓋体２１・第２蓋体２２が側面視一文字状に展開した姿勢を保ち、容器本体１の開口部１０を施蓋している。
図４に示すように、ペダル７を足で踏むことで、ペダル７の揺動に連動して昇降部材６が上方へ移動し、昇降部材６の上端部６ａが、上昇力Ｆ１をもって、第２蓋体２２の受け部８を押し上げる。この上昇力Ｆ１によって、図中矢印Ｒ０にて示すように第２蓋体２２が起立揺動し、第２蓋体２２の起立揺動に伴って枢結部２０が上方に移動して、第１蓋体２１の後縁部２１ｂが引き上げられる。第１蓋体２１は、前縁部２１ａのピン部２４がガイド溝５の下傾勾配部５ａに沿って誘導案内されることで、枢結部２０を上昇させる方向の回転モーメントＭが発生し、この回転モーメントＭによって、第２蓋体２２の起立揺動が補助され、折畳み副蓋３が開き始める際の始動負荷を軽減して、軽くペダル７を踏むだけで折畳み副蓋３を折り曲げて開くことができる。
【００１８】
次に、図５（Ａ）に示すように、さらにペダル７を踏み込み、昇降部材６の上昇力Ｆ１によって、第１蓋体２１・第２蓋体２２を折り畳む。折畳み副蓋３は、第１蓋体２１のピン部２４がガイド溝５の中間部２７から上傾勾配部５ｂに誘導案内され、上傾勾配部５ｂの後端面にピン部２４が当接して止まり、第１蓋体２１・第２蓋体２２が側面視倒立Ｖ字状となる。折畳み副蓋３は、開き始めてから（側面視倒立Ｖ字状の）開蓋状態Ｐ１となるまで、ピン部２４がガイド溝５の上面に摺接しつつ後方へ移動する。なお、蓋２（蓋枠４）の係止舌片４２が爪部４２ａを容器本体１に引っ掛けている為、昇降部材６による上昇力Ｆ１を折畳み副蓋３の第２蓋体２２に受けても、蓋２が容器本体１から浮き上がることなく保持される。
【００１９】
図６（Ａ）に示すように、開蓋状態Ｐ１で、ペダル７を踏み込むのを止めて、昇降部材６の上昇力Ｆ１を解除すると、第２蓋体２２は、自重により前方へ倒れ、弾発部材２３の弾発付勢力Ｆ０によって、第１蓋体２１が前方へ押し出されて、折畳み副蓋３が閉じる方向に自動的に動き始める。この際、第１蓋体２１には、枢結部２０を中心として（弾発部材２３による）回転モーメントＭ０が発生して、前縁部２１ａが前方へ付勢され、ピン部２４がガイド溝５に沿って案内される。この際、図６（Ｂ）に示すように、ピン部２４は、係止凹部２８に引っ掛かることなく、上傾勾配部５ｂの上面に摺接しつつ前方へ移動する。このようにして、折畳み副蓋３は、開蓋状態Ｐ１で昇降部材６の上昇力Ｆ１が解除された際に、弾発部材２３の弾発付勢力Ｆ０によって、第１蓋体２１・第２蓋体２２が展開する方向に付勢されて、自動的に閉作動する。
【００２０】
また、図７（Ａ）に示すように、開蓋状態Ｐ１で昇降部材６の上昇力Ｆ１が解除された際に、手指で第１蓋体２１に後方向（後方水平方向）への外力Ｎを付与すると、この外力Ｎにより弾発部材２３の弾発付勢力Ｆ０が殺（相殺）されて、折畳み副蓋３が閉作動するのを阻止する。図７（Ｂ）に示すように、弾発部材２３の弾発付勢力Ｆ０が殺されて無効化すると、第１蓋体２１・第２蓋体２２の自重によって、ピン部２４が上傾勾配部５ｂの後端に沿って下方に案内され、係止凹部２８に落ち込む。折畳み副蓋３は、第２蓋体２２が（自重により）第１蓋体２１に寄り掛かって、折畳み副蓋３全体が前方へ倒れようとする力が働いて、ピン部２４が係止凹部２８に真っ直ぐ下方へ落ちるように移動する。ピン部２４が係止凹部２８に落ちた状態で、第１蓋体２１から手を離して外力Ｎを取り除くと、ピン部２４は、係止凹部２８の前端２８ａの鉛直状起立面に当接する。この際、第１蓋体２１は鉛直状姿勢となり、ピン部２４が係止凹部２８の前端２８ａに引っ掛かることで、弾発部材２３の弾発付勢力Ｆ０により折畳み副蓋３が閉じようとするのを阻止する。従って、第１蓋体２１から手を離して外力Ｎを取り除いても、折畳み副蓋３が開いた状態を維持する。また、折畳み副蓋３全体が前方へ倒れようとする力と弾発部材２３の弾発付勢力Ｆ０によって、ピン部２４が係止凹部２８の前端２８ａに押し付けられている為、ピン部２４が係止凹部２８から抜けてしまうことなく、確実に係止状態を維持する。このように、折畳み副蓋３の前面（第１蓋体２１）に後方向への外力Ｎを付与してピン部２４と係止凹部２８を係止状態とすることで、ペダル７から足を外しても、折畳み副蓋３は不意に閉じてしまうことなく開いたまま保持される。
【００２１】
次に、図８（Ａ）に示すように、再びペダル７を足で踏んで昇降部材６を押し上げると、折畳み副蓋３の第２蓋体２２の受け部８を昇降部材６の上端部６ａが突き上げて、ピン部２４が係止凹部２８の上方に抜けて、弾発部材２３の弾発付勢力Ｆ０によって、折畳み副蓋３が閉じ始める。この際、図８（Ｂ）に示すように、ピン部２４は、上傾勾配部５ｂの上面に摺接しつつ前方へ移動する。即ち、ピン部２４と係止凹部２８の係止状態を解除すれば、自動的に折畳み副蓋３が閉じ始める。
【００２２】
図９（Ａ）に示すように、第２蓋体２２の受け部８は、下方開放状である為、容器本体１から蓋２を取り外す際に、昇降部材６に引っ掛かることなく容易に離脱させることができる。また、受け部８は、前縁側が比較的大きく下方に突出するように形成され、前縁側のテーパー面８ａが後縁側のテーパー面８ｂよりも長くなるように形成されている。即ち、図９（Ｂ）に示すように、折畳み副蓋３が開かれて受け部８が斜めに傾いた状態となった場合でも、昇降部材６の下方からの上昇力Ｆ１を確実に受けるよう構成されている。
【００２３】
図１０に示すように、容器本体１から蓋２を取り外す際は、蓋枠４の前辺部４ａを持ち上げて、蓋２全体を上方に揺動させる。次に、蓋枠４の後辺部４ｂの係止舌片４２を指で押して弾性変形させ、爪部４２ａの係止を解除して、蓋２全体を上方に持ち上げて容器本体１から取り外す。
図１０と図１１に示すように、容器本体１は、開口部１０の内周縁に沿ってごみ袋を伸展するための一対の門型揺動部材１１，１１が取着されている。揺動部材１１，１１は、前後の２箇所で容器本体１に枢結され、枢結部近傍には、ごみ袋を引っ掛けて留めるためのＬ字状突片１２，１２が形成されている。図１１に示すように、蓋２を容器本体１から取り外した状態で、２点鎖線のように揺動部材１１，１１を上方に揺動させ、ごみ袋をＬ字状突片１２，１２の隙間に引っ掛けて、次に、揺動部材１１，１１を下方に揺動させるだけで、ごみ袋の余分な撓みが張って、開口部１０の内周縁に沿ってごみ袋を迅速に装着することができる。
【００２４】
なお、本発明は、設計変更可能であって、例えば、容器本体１の内部空間にスペアのごみ袋を収納するスペアごみ袋入れ部を形成しても良い（図示省略）。また、容器本体１と蓋２の形状やサイズは、本発明の要旨を逸脱しない限り、自由に変更できるものとする。
【００２５】
以上のように、本発明に係るごみ収納容器は、足踏みペダル７及び該ペダル７に連動連結された昇降部材６を備えた容器本体１と、上記容器本体１に嵌着される蓋枠４を有すると共に側面視倒立Ｖ字状の開蓋状態Ｐ１と一文字状の閉蓋状態Ｐ０に折畳開閉可能として上記蓋枠４に枢着された折畳み副蓋３を有する蓋２とを、備え、上記折畳み副蓋３は、前縁部２１ａから左右両側方へピン部２４，２４が突設された第１蓋体２１と、後縁部２２ｂが上記蓋枠４の後辺部４ｂに枢着された第２蓋体２２とを、有し、該第１蓋体２１の後縁部２１ｂと上記第２蓋体２２の前縁部２２ａが枢結部２０を介して折畳み自在に連結され、該枢結部２０には、上記第１蓋体２１・第２蓋体２２を上記一文字状に展開する方向に常時弾発付勢する弾発部材２３が取着され、上記第２蓋体２２の後縁部２２ｂに上記昇降部材６による上昇力Ｆ１を受ける受け部８を有し、上記蓋枠４は、左右側辺部４ｃ，４ｃの内面２６，２６にガイド溝５，５が凹設され、上記ピン部２４が上記ガイド溝５に沿って誘導案内されるように嵌込まれ、上記折畳み副蓋３は、上記昇降部材６の上記上昇力Ｆ１によって、上記第１蓋体２１・第２蓋体２２を側面視倒立Ｖ字状に折り畳んで上記開蓋状態Ｐ１とし、該開蓋状態Ｐ１で上記上昇力Ｆ１が解除された際に、上記弾発部材２３の弾発付勢力Ｆ０によって、上記第１蓋体２１・第２蓋体２２が上記閉蓋状態Ｐ０へ閉作動するように構成されたので、高さの限られた小さなスペースでも折畳み副蓋３を側面視倒立Ｖ字状の開蓋状態Ｐ１として開放することができ、かつ、折畳み副蓋３を小さな力で開けることができる。折畳み副蓋３を折り畳んだ開蓋状態Ｐ１でペダルから足を離すと、弾発部材２３の弾発付勢力Ｆ０によって、折畳み副蓋３をスムーズに閉作動できる。従って、手がふさがっている時や手が濡れている時でも、足でペダルを操作して折畳み副蓋３を容易に開閉できる。
【００２６】
また、上記ガイド溝５の後端部近傍には、後方へ向けて上傾勾配部５ｂが配設され、上記開蓋状態Ｐ１の上記折畳み副蓋３が上記閉作動するのを阻止する後方向への外力Ｎが上記第１蓋体２１に付与されると、上記ピン部２４が落ち込む係止凹部２８が、上記上傾勾配部５ｂの後端に連設されているので、開蓋状態Ｐ１の折畳み副蓋３の第１蓋体２１に後方向への外力Ｎを付与しつつペダル７から足を離せば、簡単に折畳み副蓋３の開いた状態を維持できる。
【符号の説明】
【００２７】
１  容器本体
２  蓋
３  折畳み副蓋
４  蓋枠
４ｂ  後辺部
４ｃ  左右側辺部
５  ガイド溝
５ｂ  上傾勾配部
６  昇降部材
７  足踏みペダル
８  受け部
２０  枢結部
２１  第１蓋体
２１ａ  前縁部
２１ｂ  後縁部
２２  第２蓋体
２２ａ  前縁部
２２ｂ  後縁部
２３  弾発部材
２４  ピン部
２６  内面
２８  係止凹部
Ｐ０  閉蓋状態
Ｐ１  開蓋状態
Ｆ１  上昇力
Ｆ０  弾発付勢力
Ｎ  外力
【図１】
2017071472.tif 000003
【図２】
2017071472.tif 000004
【図３】
2017071472.tif 000005
【図４】
2017071472.tif 000006
【図５】
2017071472.tif 000007
【図６】
2017071472.tif 000008
【図７】
2017071472.tif 000009
【図８】
2017071472.tif 000010
【図９】
2017071472.tif 000011
【図１０】
2017071472.tif 000012
【図１１】
2017071472.tif 000013